(57)【特許請求の範囲】
【請求項１】
左目用の映像信号と右目用の映像信号に基づいて３次元の映像を投影する液晶プロジェクタにおいて、
前記映像信号に基づいて、左目用の映像または右目用の映像が１フィールド時間で書き込まれる液晶パネルと、
垂直方向に対して複数の領域に分割され、分割された各領域において遮光するか否かを独立に制御可能な光学シャッタと、
垂直方向に対して複数の領域に分割され、分割された各領域が、左目用の偏光方向かまたは右目用の偏光方向となるように独立に制御可能な偏光素子と、
前記液晶パネル内の書き込み位置に同期して前記光学シャッタの各領域と前記偏光素子の各領域を制御する制御回路と、
左目用かまたは右目用の映像信号のうちの一方を第１の映像信号、他方を第２の映像信号とし、前記液晶パネルに印加される電圧が正転または反転の状態のうちのいずれか一方を第１の状態、他方を第２の状態として、前記液晶パネルを、前記第１の映像信号に応じた前記第１の状態、前記第２の映像信号に応じた前記第１の状態、前記第１の映像信号に応じた前記第２の状態、前記第２の映像信号に応じた前記第２の状態の順で駆動する駆動回路と
を備える液晶プロジェクタ。
【請求項２】
前記液晶パネルは、画面の左上から右下方向に線順次走査することにより、所定の映像が書込まれるパネルであり、
前記制御回路は、前記光学シャッタの各領域と前記偏光素子の各領域を、垂直方向に並ぶ順に制御する
請求項１に記載の液晶プロジェクタ。
【請求項３】
前記液晶パネルは、画面を均等に４分割した各領域で並行して書き込まれ、４分割された各領域において前記画面の中央部から４隅方向に線順次走査することにより、所定の映像が書込まれるパネルであり、
前記制御回路は、前記光学シャッタの各領域と前記偏光素子の各領域を、前記画面の中央部から上方向および下方向に並ぶ順に制御する
請求項１に記載の液晶プロジェクタ。
【請求項４】
液晶パネルと、垂直方向に複数の領域に分割され、各領域で独立に遮光制御が可能な光学シャッタと、垂直方向に複数の領域に分割され、各領域で独立に偏光制御が可能な偏光素子とを備え、３次元の映像を投影する液晶プロジェクタの制御方法において、
前記液晶パネルに対し、左目用の映像または右目用の映像を１フィールド時間で線順次に書き込み、
前記液晶パネル内の書き込み位置に同期して、前記光学シャッタの分割された各領域に対し遮光するか否かと、前記偏光素子の分割された各領域に対し左目用の偏光方向とするかまたは右目用の偏光方向とするかを制御し、
左目用かまたは右目用の映像信号のうちの一方を第１の映像信号、他方を第２の映像信号とし、前記液晶パネルに印加される電圧が正転または反転の状態のうちのいずれか一方を第１の状態、他方を第２の状態として、前記液晶パネルを、前記第１の映像信号に応じた前記第１の状態、前記第２の映像信号に応じた前記第１の状態、前記第１の映像信号に応じた前記第２の状態、前記第２の映像信号に応じた前記第２の状態の順で駆動する
ステップを含む液晶プロジェクタの制御方法。
【発明の詳細な説明】
【技術分野】
【０００１】
本発明は、液晶プロジェクタおよび液晶プロジェクタの制御方法に関し、特に、１台の液晶プロジェクタで３次元の映像を表示する場合に用いて好適な液晶プロジェクタおよび液晶プロジェクタの制御方法に関する。
【背景技術】
【０００２】
映画館で上映される映像は、以前はフィルムで撮影され、フィルムで上映されていたものが、最近では、いわゆるデジタルシネマと呼ばれるように、デジタル信号で記録され、各映画館へ伝送された映像信号を用いて上映されるようになってきている。
【０００３】
映画館では、伝送されたデジタルの映像信号を、例えば、液晶デバイスを用いて映像を投影する液晶プロジェクタで再生し、映像としてスクリーン上に表示させる。
【０００４】
近年、映画館で上映される映像には、３次元の立体映像（以下、３D映像という）を表示させるように撮影された３Dコンテンツもある。
【０００５】
従来、液晶プロジェクタによって３D映像を投影する場合には、２台の液晶プロジェクタを用いる手法が一般的であった（例えば、特許文献１参照）。この場合、一方の液晶プロジェクタは右目用の映像を投影し、他方の液晶プロジェクタは左目用の映像を投影する。
【０００６】
また、近年では、１台の液晶プロジェクタで３D映像を投影することも試みられている。
【０００７】
図１乃至図３を参照して、１台の液晶プロジェクタで３D映像を投影する場合の従来の方式について説明する。換言すれば、図１乃至図３を参照して説明する方式は、通常の２次元の映像（２D映像）を投影するときと同様の方式で３D映像を投影するようにした場合の例である。
【０００８】
図１は、３D映像を投影する３D映像投影システムの構成の一例を示している。
【０００９】
３D映像投影システムでは、デジタルシネマ用の３D映像の映像信号としての、左目用（L側）の映像信号と右目用（R側）の映像信号が、２４Hz周期で液晶プロジェクタ１に供給される。
【００１０】
液晶プロジェクタ１が映像を投影する方向の前方には、液晶プロジェクタ１からの光（映像）を遮光または通過させる光学シャッタ２と、L側またはR側に対応する偏向方向に、入射される光を偏光する偏光素子３が配置される。光学シャッタ２および偏光素子３には、一般に液晶素子が用いられる。
【００１１】
液晶プロジェクタ１では、液晶パネル１Aに、R側またはL側の映像信号に対応する映像が順次書き込まれ、そこに書込まれた映像が、図示せぬ光源によって投影される。即ち、液晶プロジェクタ１から出射された映像の光が、光学シャッタ２を通過して、偏光素子３で所定の偏向方向に偏光され、スクリーン４に表示される。
【００１２】
ユーザは偏光メガネ５を装着し、左目には左目用の映像の光が、右目には右目用の映像の光が入射されることで、３D映像を見ることができる。
【００１３】
ところで、液晶デバイスは、液晶物質の劣化などを防止するため、１画面単位などの所定のタイミングで印加電圧の極性を反転して、DC成分の積分値がゼロとなるように駆動する、いわゆる交流駆動を行う必要がある。ここで、印加電圧の極性の一方を正転、それと反対の極性を反転という。
【００１４】
例えば、液晶プロジェクタ１が時系列の２Dの映像A，B，Cを順次表示する場合、液晶プロジェクタ１は、２４Hz周期で順次供給される映像A，B，Cの映像信号を内部のメモリに蓄積（スタック）し、図２Aに示されるようにして映像A，B，Cを液晶パネル１Aに書き込むことにより、映像A，B，Cを表示する。即ち、最初に、液晶パネル１Aの液晶への印加電圧を正転させて書き込むことにより映像Aを表示し、その次に、液晶パネル１Aの液晶への印加電圧を反転させて書き込むことにより映像Aを表示する。そして、次の映像Bを表示する場合にも、液晶プロジェクタ１は、最初に、液晶パネル１Aの液晶への印加電圧を正転させて書き込むことにより映像Bを表示した後、液晶パネル１Aの液晶への印加電圧を反転させて書き込むことにより映像Bを表示する。映像Cについても同様である。
【００１５】
従って、２D映像の表示と同じ方式で３D映像を表示させるとすると、液晶プロジェクタ１は、図２Bに示されるように、あるタイミングで１枚目のL側の映像L1を正転により表示し、次に映像L1を反転により表示する。さらに次の時間には、液晶プロジェクタ１は、１枚目のR側の映像R1を正転により表示し、次に映像R1を反転により表示することになる。
【００１６】
液晶パネル１Aに書き込まれる映像（パネル映像）、および、そのときの正転かまたは反転かを表す駆動極性と、光学シャッタ２の開閉および偏光素子３の偏光方向との関係についてまとめると、図３に示すようになる。
【００１７】
T1時間に、映像L1が正転により液晶パネル１Aに書き込まれた後、T2時間において、映像L1が反転により液晶パネル１Aに書き込まれる。またT2時間においては、光学シャッタ２が開かれるとともに、偏光素子３の偏光方向が左目用に制御される。T2時間に液晶パネル１Aに書き込まれる映像は、T1時間に書き込んだ映像と同一の映像であるので、T2時間に液晶パネル１Aに映像L1を書き込んでいる間、常に光学シャッタ２が開いていても問題はない。
【００１８】
T2時間の次のT3時間では、映像R1が正転により液晶パネル１Aに書き込まれるとともに、光学シャッタ２が閉じられ、液晶プロジェクタ１からの光が遮光される。T3時間の液晶パネル１Aには、新しく書込まれた映像R1と、その前の映像L1とが混在しているからである。そして、T4時間において、光学シャッタ２が開かれ、偏光素子３の偏光方向が右目用に制御されるとともに、映像R1が反転により液晶パネル１Aに書き込まれる。
【００１９】
映像L1（正転）、映像L1（反転）、映像R1（正転）、映像R1（反転）を行う一連の時間、即ち、T1時間乃至T4時間の合計時間は、２４Hzの一周期に相当する時間である。
【００２０】
このように、従来の液晶プロジェクタ１は、２４Hz周期で供給されるL側およびR側の映像信号を用いて、映像L（正転）、映像L（反転）、映像R（正転）、映像R（反転）の順で、映像をスクリーン４に投影することによって、３D映像を表示する。
【００２１】
【特許文献１】特開平８−３３１６０２号公報
【発明の開示】
【発明が解決しようとする課題】
【００２２】
その結果、図３を見て明らかなように、L側およびR側を対とする１枚の映像がスクリーン４に表示される期間である、２４Hzの一周期期間の半分の時間は光学シャッタ２を閉じる必要があるため、スクリーン４上に表示される画像が暗くなってしまうという問題があった。また、液晶プロジェクタ１内の図示せぬ光源は、光学シャッタ２を閉じている間も点灯しているので、光の利用効率が悪いという問題があった。
【００２３】
本発明は、このような状況に鑑みてなされたものであり、１台の液晶プロジェクタで３D映像を表示する場合において、表示される映像の輝度を向上させることができるようにするものである。
【課題を解決するための手段】
【００２４】
本発明の一側面の液晶プロジェクタは、左目用の映像信号と右目用の映像信号に基づいて３次元の映像を投影する液晶プロジェクタにおいて、前記映像信号に基づいて、左目用の映像または右目用の映像が１フィールド時間で書き込まれる液晶パネルと、垂直方向に対して複数の領域に分割され、分割された各領域において遮光するか否かを独立に制御可能な光学シャッタと、垂直方向に対して複数の領域に分割され、分割された各領域が、左目用の偏光方向かまたは右目用の偏光方向となるように独立に制御可能な偏光素子と、前記液晶パネル内の書き込み位置に同期して前記光学シャッタの各領域と前記偏光素子の各領域を制御する制御回路と、左目用かまたは右目用の映像信号のうちの一方を第１の映像信号、他方を第２の映像信号とし、前記液晶パネルに印加される電圧が正転または反転の状態のうちのいずれか一方を第１の状態、他方を第２の状態として、前記液晶パネルを、前記第１の映像信号に応じた前記第１の状態、前記第２の映像信号に応じた前記第１の状態、前記第１の映像信号に応じた前記第２の状態、前記第２の映像信号に応じた前記第２の状態の順で駆動する駆動回路とを備える。
【００２５】
前記液晶パネルは、画面の左上から右下方向に線順次走査することにより、所定の映像が書込まれるパネルであり、前記制御回路には、前記光学シャッタの各領域と前記偏光素子の各領域を、垂直方向に並ぶ順に制御させることができる。
【００２６】
前記液晶パネルは、画面を均等に４分割した各領域で並行して書き込まれ、４分割された各領域において前記画面の中央部から４隅方向に線順次走査することにより、所定の映像が書込まれるパネルであり、前記制御回路には、前記光学シャッタの各領域と前記偏光素子の各領域を、前記画面の中央部から上方向および下方向に並ぶ順に制御させることができる。
【００２８】
本発明の一側面の液晶プロジェクタの制御方法は、液晶パネルと、垂直方向に複数の領域に分割され、各領域で独立に遮光制御が可能な光学シャッタと、垂直方向に複数の領域に分割され、各領域で独立に偏光制御が可能な偏光素子とを備え、３次元の映像を投影する液晶プロジェクタの制御方法において、前記液晶パネルに対し、左目用の映像または右目用の映像を１フィールド時間で線順次に書き込み、前記液晶パネル内の書き込み位置に同期して、前記光学シャッタの分割された各領域に対し遮光するか否かと、前記偏光素子の分割された各領域に対し左目用の偏光方向とするかまたは右目用の偏光方向とするかを制御し、左目用かまたは右目用の映像信号のうちの一方を第１の映像信号、他方を第２の映像信号とし、前記液晶パネルに印加される電圧が正転または反転の状態のうちのいずれか一方を第１の状態、他方を第２の状態として、前記液晶パネルを、前記第１の映像信号に応じた前記第１の状態、前記第２の映像信号に応じた前記第１の状態、前記第１の映像信号に応じた前記第２の状態、前記第２の映像信号に応じた前記第２の状態の順で駆動するステップを含む。
【００２９】
本発明の一側面においては、液晶パネルに対し、左目用の映像または右目用の映像が１フィールド時間で線順次に書き込まれ、液晶パネル内の書き込み位置に同期して、光学シャッタの分割された各領域に対し遮光するか否かが制御されるとともに、偏光素子の分割された各領域に対し左目用の偏光方向とするかまたは右目用の偏光方向とするかが制御される。また、左目用かまたは右目用の映像信号のうちの一方を第１の映像信号、他方を第２の映像信号とし、液晶パネルに印加される電圧が正転または反転の状態のうちのいずれか一方を第１の状態、他方を第２の状態としたとき、液晶パネルが、第１の映像信号に応じた第１の状態、第２の映像信号に応じた第１の状態、第１の映像信号に応じた第２の状態、第２の映像信号に応じた第２の状態の順で駆動される。
【発明の効果】
【００３０】
本発明の一側面によれば、１台の液晶プロジェクタで３D映像を表示する場合において、表示される映像の輝度を向上させることができる。
【発明を実施するための最良の形態】
【００３１】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３２】
本発明の一側面の液晶プロジェクタは、左目用の映像信号と右目用の映像信号に基づいて３次元の映像を投影する液晶プロジェクタ（例えば、図５の液晶プロジェクタ１１）において、前記映像信号に基づいて、左目用の映像または右目用の映像が１フィールド時間で書き込まれる液晶パネル（例えば、図５の液晶パネル２５）と、垂直方向に対して複数の領域に分割され、分割された各領域において遮光するか否かを独立に制御可能な光学シャッタ（例えば、図５の光学シャッタ１２）と、垂直方向に対して複数の領域に分割され、分割された各領域が、左目用の偏光方向かまたは右目用の偏光方向となるように独立に制御可能な偏光素子（例えば、図５の偏光素子１３）と、前記液晶パネル内の書き込み位置に同期して前記光学シャッタの各領域と前記偏光素子の各領域を制御する制御回路（例えば、図５の制御部２７）と、左目用かまたは右目用の映像信号のうちの一方を第１の映像信号、他方を第２の映像信号とし、前記液晶パネルに印加される電圧が正転または反転の状態のうちのいずれか一方を第１の状態、他方を第２の状態として、前記液晶パネルを、前記第１の映像信号に応じた前記第１の状態、前記第２の映像信号に応じた前記第１の状態、前記第１の映像信号に応じた前記第２の状態、前記第２の映像信号に応じた前記第２の状態の順で駆動する駆動回路（例えば、図５のパネル駆動部２４）とを備える。
【００３３】
本発明の一側面の液晶プロジェクタの制御方法は、液晶パネルと、垂直方向に複数の領域に分割され、各領域で独立に遮光制御が可能な光学シャッタと、垂直方向に複数の領域に分割され、各領域で独立に偏光制御が可能な偏光素子とを備え、３次元の映像を投影する液晶プロジェクタ（例えば、図５の液晶プロジェクタ１１）の制御方法において、前記液晶パネルに対し、左目用の映像または右目用の映像を１フィールド時間で線順次に書き込み（例えば、図１１のステップＳ４）、前記液晶パネル内の書き込み位置に同期して、前記光学シャッタの分割された各領域に対し遮光するか否かと、前記偏光素子の分割された各領域に対し左目用の偏光方向とするかまたは右目用の偏光方向とするかを制御し（例えば、図１２のステップＳ２３およびＳ２４）、左目用かまたは右目用の映像信号のうちの一方を第１の映像信号、他方を第２の映像信号とし、前記液晶パネルに印加される電圧が正転または反転の状態のうちのいずれか一方を第１の状態、他方を第２の状態として、前記液晶パネルを、前記第１の映像信号に応じた前記第１の状態、前記第２の映像信号に応じた前記第１の状態、前記第１の映像信号に応じた前記第２の状態、前記第２の映像信号に応じた前記第２の状態の順で駆動する（例えば、図１１のステップＳ４乃至Ｓ７）ステップを含む。
【００３４】
以下、図を参照して、本発明の実施の形態について説明する。
【００３５】
図４は、本発明を適用した３D映像投影システムの一実施の形態の構成例を示している。
【００３６】
図４の３D映像投影システム１０は、液晶プロジェクタ１１、光学シャッタ１２、偏光素子１３、およびスクリーン４により構成され、液晶プロジェクタ１１は、３D映像をスクリーン４に投影する。
【００３７】
即ち、３D映像投影システム１０においては、図１における場合と同様に、液晶プロジェクタ１１から出射された映像の光が、光学シャッタ１２を通過して、偏光素子１３で所定の偏向方向に偏光され、スクリーン４に投影される。左目用の映像の光が液晶プロジェクタ１１から出射された場合には、偏光素子１３は光を左目用の偏光方向に偏光させ、右目用の映像の光が液晶プロジェクタ１１から出射された場合には、偏光素子１３は光を右目用の偏光方向に偏光させる。右目用の偏光方向と左目用の偏光方向は、例えば直交する角度である。
【００３８】
ユーザは偏光メガネ５を装着し、左目には左目用の映像の光が、右目には右目用の映像の光が入射されることで、スクリーン４上に映し出された映像を３D映像として見ることができる。
【００３９】
光学シャッタ１２は、図４に示されるように、液晶プロジェクタ１１から出射された映像の光が通過する領域を垂直方向にN等分するように、N個の領域RA1乃至RANに分割されており、この光学シャッタ１２では、シャッタの開閉（遮光のオンオフ）を領域RA1乃至RANそれぞれで独立に制御することが可能である点が、図１の光学シャッタ２と異なる。
【００４０】
偏光素子１３も同様に、液晶プロジェクタ１１から出射された映像の光が通過する領域を垂直方向にN等分するように、N個の領域RB1乃至RBNに分割されており、この偏光素子１３では、偏光方向を領域RB1乃至RBNそれぞれで独立に制御することが可能である点が、図１の偏光素子３と異なる。
【００４１】
従って、領域RA1乃至RANと領域RB1乃至RBNのそれぞれは、横方向に長い短冊状の領域となっている。
【００４２】
図４は、３D映像投影システム１０の構成を理解が容易となるように概念的に示した図であり、実際の配置は図４とは異なる。例えば、光学シャッタ１２の領域RA1や偏光素子１３の領域RB1などは、図４では、液晶プロジェクタ１１から出射された映像の光が通過する領域外にあるが、実際には、液晶プロジェクタ１１から出射された映像の光が通過する領域内に存在する。また、光学シャッタ１２および偏光素子１３が配置される位置、より具体的には、液晶プロジェクタ１１からスクリーン４までの距離に対する、液晶プロジェクタ１１から光学シャッタ１２または偏光素子１３までの距離の比は、図４とは異なる。
【００４３】
液晶プロジェクタ１１は、２D映像についても勿論表示することができるが、以下では、主に液晶プロジェクタ１１が３D映像を表示する場合について説明し、２D映像を表示する場合については必要に応じて補足的に説明する。
【００４４】
図５は、３D映像投影システム１０の構成例を示すブロック図である。
【００４５】
液晶プロジェクタ１１は、映像信号入力部２１、操作部２２、フレームメモリ２３、パネル駆動部２４、液晶パネル２５、通信部２６、制御部２７、およびドライブ２８により構成される。また、ドライブ２８には、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア２９を必要に応じて装着することが可能である。
【００４６】
映像信号入力部２１には、左目用の映像信号と右目用の映像信号が同時に、２４Hz周期で入力されてくる。映像信号入力部２１は、入力された左目用および右目用の映像信号を制御部２７に供給する。なお、以下において、左目用と右目用、または時系列に入力される各映像を区別する場合、図２および図３における場合と同様に、映像L1，L2，L3，・・・および映像R1，R2，R3，・・と表す。また、添え字の数が同一の映像に対応する映像信号は、映像信号入力部２１に同時に入力されたものを表す。
【００４７】
操作部２２は、図示せぬ操作ボタン、表示部などから構成され、操作者からの所定の操作を受け付ける。操作者の操作に対応する操作信号が、操作部２２から制御部２７に供給される。例えば、操作者は、操作部２２を操作して、２D映像を投影するか、または３D映像を投影するかを表す投影モードの設定をすることが可能であり、設定された投影モードについての操作信号が操作部２２から制御部２７に供給される。
【００４８】
フレームメモリ２３は、映像信号入力部２１から供給された映像信号、換言すれば、液晶パネル２５に書き込む映像を一時的に記憶する。フレームメモリ２３は、図１０を参照して後述するように２バンク構成となっており、映像信号の書き込みまたは読み出しが、２つのバンク２３Aおよび２３B（図１０）に対して交互に行われる。
【００４９】
パネル駆動部２４は、例えば、駆動回路により構成され、制御部２７からの駆動制御信号に基づいて、液晶パネル２５を駆動する。パネル駆動部２４は、液晶への印加電圧を正転または反転させて映像信号に対応する所定の映像を液晶パネル２５に書き込むが、上述したように液晶物質の劣化などを防止するため、DC成分の積分値がゼロとなるように液晶パネル２５を駆動する（交流駆動する）。
【００５０】
液晶パネル２５は、１画面として所定の画素数（解像度）を有し、その各画素がパネル駆動部２４によって線順次に走査されることにより、液晶パネル２５の１画面の映像が１フィールド時間で書き換えられる。本実施の形態では、液晶パネル２５は、図６に示されるように、２K×１K（水平方向×垂直方向）の解像度を有するHDパネルであるとし、パネル駆動部２４によって画面の左上から右下方向へ線順次に走査される。液晶パネル２５に書き込まれた映像に対応する光が、図示せぬ光源によって液晶プロジェクタ１１から出射され、スクリーン４に投影される。
【００５１】
通信部２６は、制御部２７から供給される制御信号を光学シャッタ１２または偏光素子１３に供給する。光学シャッタ１２に供給される制御信号は、シャッタの開閉を制御する制御信号であり、偏光素子１３に供給される制御信号は、偏光素子１３の偏光方向を制御する制御信号である。
【００５２】
制御部２７は、例えば、CPU（Central Processing Unit）または制御回路などにより構成され、液晶プロジェクタ１１の各部を制御する。例えば、制御部２７は、映像信号入力部２１から供給された映像信号をフレームメモリ２３に書き込むとともに、フレームメモリ２３から映像信号を読み出し、その読み出した映像信号に対応する駆動制御信号をパネル駆動部２４に供給する。また、制御部２７は、液晶パネル２５に書き込まれる映像に対応して、通信部２６を介して光学シャッタ１２および偏光素子１３に制御信号を供給することで、光学シャッタ１２の開閉を領域RA1乃至RANごとに制御するとともに、偏光素子１３の偏光方向を領域RB1乃至RBNごとに制御する。
【００５３】
ドライブ２８は、リムーバブルメディア２９を駆動し、そこに記録された映像信号を読み出し、制御部２７に供給したり、制御部２７から供給される映像信号をリムーバブルメディア２９に書き込む。
【００５４】
以上のように構成される液晶プロジェクタ１１において、３D映像を投影する場合の駆動制御について、図７乃至図９を参照して説明する。
【００５５】
映像信号入力部２１には、映像L1およびR1、映像L2およびR2、映像L3およびR3、・・・・の順で映像信号が入力され、フレームメモリ２３に順次記憶される。制御部２７は、フレームメモリ２３から映像信号を読み出し、その読み出した映像信号に対応する駆動制御信号をパネル駆動部２４に供給する。パネル駆動部２４は、制御部２７からの駆動制御信号に基づいて、図７Aに示されるような液晶パネル２５の駆動を行う。すなわち、パネル駆動部２４は、最初に、液晶パネル２５の液晶への印加電圧を正転させて映像L1を液晶パネル２５に書き込む。次に、パネル駆動部２４は、同じく印加電圧を正転させて映像R1を液晶パネル２５に書き込む。その次に、パネル駆動部２４は、印加電圧を反転させて映像L1を液晶パネル２５に書き込み、次も印加電圧を反転させて映像R1を液晶パネル２５に書き込む。
【００５６】
それ以降も同様の処理が繰り返される。すなわち、映像L2およびR2については、映像L2（正転）、映像R2（正転）、映像L2（反転）、映像R2（反転）の順で、映像が液晶パネル２５に書き込まれる。
【００５７】
図７Aに示した駆動制御を、２Dの映像A，B，Cを順次表示させる場合に対応させると、図７Bに示すように、映像A（正転）、映像B（正転）、映像A（反転）、映像B（反転）の順で、映像が液晶パネル２５に書き込まれることになる。即ち、映像A，Bが、その順で印加電圧を正転させて液晶パネル２５に書き込まれた後、映像A,Bが、その順で印加電圧を反転させて液晶パネル２５に書き込まれる。その次には、映像C，Dが印加電圧を正転させて液晶パネル２５に書き込まれ、映像C,Dが印加電圧を反転させて書き込まれる。
【００５８】
換言すれば、液晶プロジェクタ１１で３Dの映像を投影するときの方式を、図２Aに示した従来の方式と比較すると、液晶プロジェクタ１１は、映像A（反転）と映像B（正転）を時間軸方向に入れ替えた駆動制御を行うと言うことができる。
【００５９】
図８は、図７Aを参照して説明した液晶パネル２５への映像の書込みに対応する、光学シャッタ１２および偏光素子１３の制御を説明する図である。
【００６０】
光学シャッタ１２は、上述したように、それぞれが短冊状のN個の領域RA1乃至RANに分割されており、領域RA1乃至RANそれぞれが、通信部２６を介して制御部２７によって、別個独立に制御される。偏光素子１３は、図示されていないが、光学シャッタ１２の領域RA1乃至RANが、それぞれ、偏光素子１３の領域RB1乃至RBNに対応する。
【００６１】
図６を参照して説明したように、液晶パネル２５は、画面の左上から右下方向へ線順次に走査される。すなわち、線順次走査を光学シャッタ１２の領域RA1乃至RAN単位で考えると、液晶パネル２５は、画面の一番上の領域RA1から、RA1，RA2，RA3，・・，RANN-1，RAN，RA1，RA2，RA3，・・の順に、映像を更新する。
【００６２】
そこで、液晶プロジェクタ１１の制御部２７は、領域RA1乃至RANを上から下にスクロールするように光学シャッタ１２および偏光素子１３を制御する。より具体的には、制御部２７は、光学シャッタ１２の領域RA1乃至RANのうちの、映像を書き込む（更新する）液晶パネル２５の画素に対応する領域RAn（ｎ＝１，・・・，Nのいずれか）を注目領域として、注目領域のシャッタを閉じるように制御する。そして、制御部２７は、液晶パネル２５の線順次走査が進み、注目領域に対する書き込みが終了すると、注目領域の次の領域を、すなわち、次の（下の）領域RAn+1を新たな注目領域に設定する。さらに、制御部２７は、それまで注目領域とされていた領域RAnのシャッタを開け、右目用の偏光方向となるように偏光素子１３の領域RBnを制御する。
【００６３】
なお、光学シャッタ１２の注目領域が領域RANである場合の次の注目領域は、領域RA1であり、偏光素子１３も同様に注目領域が領域RBNである場合の次の注目領域は領域RB1となる。また、偏光素子１３は、図７Aを参照して説明したように、１画面の走査ごとに、右目用の偏光方向と左目用の偏光方向が切り替えられるので、領域RBnは、それまでが右目用の偏光方向であった場合の後は左目用の偏光方向となるように、それまでが左目用の偏光方向であった場合の後は右目用の偏光方向となるように制御される。
【００６４】
図８では、影が付されている領域RA2が注目領域とされ、シャッタが閉じられている。また、斜線が付されている領域RA1は、１つ前に注目領域とされた領域であり、シャッタが開けられるとともに右目用の偏光方向に制御されている。まだ注目領域とされていない領域RA3乃至RANは、シャッタが開けられるとともに左目用の偏光方向に制御されている。
【００６５】
図９は、図３に示した従来の駆動制御に対応する図であって、液晶プロジェクタ１１におけるパネル映像および駆動極性と、光学シャッタ１２の開閉および偏光素子１３の偏光方向との関係を示す図である。
【００６６】
T1時間においては、映像L1が正転の印加電圧により液晶パネル２５に書き込まれるが、液晶パネル２５の画面上部に対応する光学シャッタ１２の領域RA1および偏光素子１３の領域RB1では、その領域RA1およびRB1に対応する液晶パネル２５の領域への書き込みが終了したT1時間の初期段階から、シャッタが開けられ、左目用に偏光方向が制御される。
【００６７】
次に、光学シャッタ１２の領域RA1のシャッタが閉じられるのは、領域RA1が次に注目領域とされる約１フィールド時間後のT2時間の最初である。そして、T2時間において、光学シャッタ１２の領域RA1のシャッタが再度開けられたとき、偏光素子１３の領域RB1では、右目用に偏光方向が制御される。領域RA1のシャッタ開および右目用の偏光制御は、約１フィールド時間保持される。
【００６８】
一方、液晶パネル２５の画面下部に対応する光学シャッタ１２の領域RANおよび偏光素子１３の領域RBNでは、その領域RANおよびRBNに対応する液晶パネル２５の領域への書き込みが終了したT1時間の終了間際に、シャッタが開けられ、左目用に偏光方向が制御される。
【００６９】
次に、光学シャッタ１２の領域RANのシャッタが閉じられるのは、領域RANが次に注目領域とされる１フィールド時間後のT2時間の終了間際である。そして、T2時間において、光学シャッタ１２の領域RANのシャッタが再度開けられたとき、偏光素子１３の領域RBNでは、右目用に偏光方向が制御される。領域RANのシャッタ開および右目用の偏光制御は、約１フィールド時間保持される。
【００７０】
T3時間、T4時間内のシャッタおよび偏光方向の制御も同様である。
【００７１】
２４Hzの一周期期間で、光学シャッタ２が開けられている時間を、図１の３D映像投影システムと比較すると、すなわち、図３と図９を比較すると、３D映像投影システム１０では、シャッタを閉じる必要がある時間は、光学シャッタ１２の各領域が注目領域とされている間のわずかな時間とすることができることがわかる。したがって、３D映像投影システム１０によれば、従来と比較して映像の輝度を大幅に向上させることができる。
【００７２】
また、図１の３D映像投影システムによる３D映像の表示方式では、図３を見て分かるように、L側およびR側を対とする１枚の映像を２４Hz周期でしか表示することができないため、フリッカがひどく視認に耐えられるものではなかったという問題もあった。
【００７３】
３D映像投影システム１０では、図９を見て明らかなように、２４Hzの一周期期間内に、映像L1（正転）、映像R1（正転）、映像L1（反転）、映像R1（反転）の順に、右目用の映像と左目用の映像がそれぞれ２回表示されるので、２４Hz周期の２倍の４８Hz周期で３D映像を表示させることができ、フリッカを大幅に低減させることが可能となる。この場合、液晶デバイスに必要なDC成分の積分値がゼロとなる条件も満足している。
【００７４】
次に、図１０を参照して、映像L（正転）、映像R（正転）、映像L（反転）、および映像R（反転）のフレームメモリ２３からの読み出しについて説明する。図１０は、フレームメモリ２３の詳細な構成例を示している。
【００７５】
フレームメモリ２３は、２つのバンク２３Aおよび２３Bにより構成され、バンク２３Aまたは２３Bのそれぞれは、左目用と右目用の映像信号を記憶する２つのフレームメモリを有する。即ち、バンク２３Aはフレームメモリ２３ALおよび２３ARを有し、バンク２３Bはフレームメモリ２３BLおよび２３BRを有している。
【００７６】
バンク２３Aおよび２３Bでは、映像信号の読み出しおよび書き込みが２４Hz周期で交互に行われる。
【００７７】
例えば、２４Hz周期のある一周期期間では、制御部２７から供給された映像L2の映像信号と映像R2の映像信号がバンク２３Aのフレームメモリ２３ALおよび２３ARに書き込まれると同時に、バンク２３Bのフレームメモリ２３BLおよび２３BRに記憶されている映像L1の映像信号と映像R1の映像信号が読み出される。
【００７８】
ここで、バンク２３Bの映像信号の読み出しでは、映像L1と映像R1を、２４Hzの一周期期間に、映像L1、映像R1、映像L1、映像R1の順でそれぞれ２回読み出す必要があるので、読み出しの速度は、書き込みの速度の４倍となる。
【００７９】
その次の一周期期間では、制御部２７から供給された映像L3の映像信号と映像R3の映像信号がバンク２３Bのフレームメモリ２３BLおよび２３BRに書き込まれると同時に、バンク２３Aのフレームメモリ２３ALおよび２３ARに記憶されている映像L2の映像信号と映像R2の映像信号が、書き込みの４倍の速度でフレームメモリ２３AL、２３AR、２３AL、２３ARの順に読み出される。
【００８０】
なお、液晶プロジェクタ１１が２D映像を投影する場合には、バンク２３Aおよび２３Bのそれぞれ１つのフレームメモリ（例えば、フレームメモリ２３ALおよび２３BL）のみを用いて、映像信号の読み出しおよび書き込みを交互に行うことで、２D映像の表示が可能である。
【００８１】
次に、図１１のフローチャートを参照して、３D映像投影システム１０による投影処理について説明する。この処理は、例えば、操作部２２の投影スタートボタンが操作されたときなどに開始される。
【００８２】
初めに、ステップＳ１において、制御部２７は、設定されている投影モードが３D映像を投影する投影モードであるかを判定する。ステップＳ１で、設定されている投影モードが３D映像を投影する投影モードではないと判定された場合、即ち、設定されている投影モードが２D映像を投影する投影モードである場合、処理はステップＳ２に進み、制御部２７は、２D映像をスクリーン４に表示する制御を行う。この場合、パネル駆動部２４は、図２Aを参照して説明した２D映像を表示する駆動制御を行うとともに、制御部２７は、図３を参照して説明したように光学シャッタ１２と偏光素子１３を制御する。そして、映像信号入力部２１に投影する映像の映像信号が入力されなくなったとき、投影処理は終了する。
【００８３】
一方、ステップＳ１で、設定されている投影モードが３D映像を投影する投影モードであると判定された場合、処理はステップＳ３に進み、制御部２７は、映像信号入力部２１から供給される右目用の映像信号と左目用の映像信号の、フレームメモリ２３のバンク２３Aへの書き込みを開始する。このステップＳ３で開始されたバンク２３Aへの書き込みは、後述するステップＳ４乃至Ｓ７の処理が終了するまでの間、並行して実行される。
【００８４】
ステップＳ４において、制御部２７は、バンク２３Bのフレームメモリ２３BLから映像Lを読み出し、その読み出した映像Lに対応する駆動制御信号をパネル駆動部２４に供給する。これにより、パネル駆動部２４は、液晶への印加電圧を正転させて映像Lを液晶パネル２５に書き込む。
【００８５】
映像Lの書き込み終了後、ステップＳ５において、制御部２７は、バンク２３Bのフレームメモリ２３BRから映像Rを読み出し、その読み出した映像Rに対応する駆動制御信号をパネル駆動部２４に供給する。これにより、パネル駆動部２４は、液晶への印加電圧を正転させて映像Rを液晶パネル２５に書き込む。
【００８６】
映像Rの書き込み終了後、ステップＳ６において、制御部２７は、バンク２３Bのフレームメモリ２３BLから映像Lを読み出し、その読み出した映像Lに対応する駆動制御信号をパネル駆動部２４に供給する。これにより、パネル駆動部２４は、液晶への印加電圧を反転させて映像Lを液晶パネル２５に書き込む。
【００８７】
映像Lの書き込み終了後、ステップＳ７において、制御部２７は、バンク２３Bのフレームメモリ２３BRから映像Rを読み出し、その読み出した映像Rに対応する駆動制御信号をパネル駆動部２４に供給する。これにより、パネル駆動部２４は、液晶への印加電圧を反転させて映像Rを液晶パネル２５に書き込む。
【００８８】
上述したステップＳ４乃至Ｓ７の処理は、図９で説明した、２４Hzの一周期期間内にそれぞれ２回行われる液晶パネル２５への左目用の映像Lと右目用の映像Rの線順次の書き込み処理である。このステップＳ４乃至Ｓ７の処理と並行して、光学シャッタ１２および偏光素子１３の制御処理も行われるが、その処理については図１２を参照して後述する。
【００８９】
ステップＳ８において、制御部２７は、投影を終了するか否かを判定する。ステップＳ８では、例えば、新たな映像信号が映像信号入力部２１から供給されない場合、または、操作部２２から投影を終了する終了ボタンが操作された場合などに、投影を終了すると判定され、その結果、処理は終了する。
【００９０】
一方、ステップＳ８で、投影が終了ではないと判定された場合、処理はステップＳ３に戻り、上述したステップＳ３乃至Ｓ８の処理が繰り返し実行される。但し、次に実行されるステップＳ３乃至Ｓ８の処理では、フレームメモリ２３のうちの、映像信号が読み出されるバンクと、映像信号が書き込まれるバンクが交代する。即ち、次のステップＳ３乃至Ｓ８の処理では、映像信号の書き込みはバンク２３Bに対して行われ、映像信号の読み出しはバンク２３Aに対して行われる。さらに次のステップＳ３乃至Ｓ８の処理では、バンク２３Aに対して映像信号の書き込みが行われ、バンク２３Bに対して映像信号の読み出しが行われる。以下同様に繰り返され、ステップＳ８で、投影の終了と判定された場合に、処理は終了する。
【００９１】
図１２は、液晶プロジェクタ１１による光学シャッタおよび偏光素子制御処理のフローチャートである。この処理は、上述したように、図１１のステップＳ４乃至Ｓ７の処理と並行して実行される。
【００９２】
初めに、ステップＳ２１において、制御部２７は、液晶パネル２５のいま書き込んでいる位置（画素）に対応する光学シャッタ１２の領域RAn（ｎ＝１，・・・，Nのいずれか）を注目領域として決定する。また、ステップＳ２１では、偏光素子１３の領域RBnも同様に注目領域とされる。
【００９３】
ステップＳ２２において、制御部２７は、通信部２６を介して制御信号を光学シャッタ１２に供給し、光学シャッタ１２の注目領域RAnのシャッタを閉じるように制御する。
【００９４】
ステップＳ２３において、制御部２７は、通信部２６を介して制御信号を偏光素子１３に供給し、１つ前に注目領域とされていた偏光素子１３の領域RBn-1の偏光方向を左目用に制御する。すなわち、制御部２７は、映像の書き込みが終了した領域RBn-1の偏光方向を左目用に制御する。
【００９５】
なお、ステップＳ２３では、制御部２７は、領域RBn-1に対する１回前の偏光制御で、左目用の偏光方向となるように制御した場合には右目用の偏光方向となるように制御する。逆に、制御部２７は、領域RBn-1に対する１回前の偏光制御で、右目用の偏光方向となるように制御した場合には左目用の偏光方向となるように制御する。これにより、図９に示したように、映像L、映像R、映像L、映像Rの順に対応する偏光方向とすることができる。
【００９６】
ステップＳ２４において、制御部２７は、通信部２６を介して制御信号を光学シャッタ１２に供給し、光学シャッタ１２で１つ前に注目領域とされていた領域であって、偏光方向の切り替えが終了した領域RBn-1に対応する領域RAn-1のシャッタを開けるように制御する。
【００９７】
ステップＳ２５において、制御部２７は、注目領域に変更が必要か否かを判定し、注目領域の変更が必要であると判定されるまで待機する。ステップＳ２５では、液晶パネル２５の映像書き込み位置が、いま注目領域とされている領域RAnではなくなった場合、注目領域に変更が必要であると判定される。
【００９８】
ステップＳ２５で、注目領域の変更が必要であると判定された場合、処理はステップＳ２６に進み、制御部２７は、光学シャッタ１２のすべての領域RA1乃至RANが４回注目領域とされたかを判定する。すなわち、図１１のステップＳ４乃至Ｓ７の処理では、映像L、映像R、映像L、映像Rの４回映像が書き込まれるので、ステップＳ４乃至Ｓ７の処理に対応する時間では、光学シャッタ１２の領域RA1乃至RANそれぞれが４回注目領域とされることになる。
【００９９】
換言すれば、図１２のステップＳ２１乃至Ｓ２６の処理がN回繰り返され、光学シャッタ１２のすべての領域RA1乃至RANが１回ずつ注目領域とされる時間が、図１１のステップＳ４，Ｓ５，Ｓ６，Ｓ７の各１ステップの処理時間に相当する。従って、ステップＳ２６で、光学シャッタ１２のすべての領域RA1乃至RANが４回注目領域とされたと判定された場合は、図１１のステップＳ４乃至Ｓ７の処理が終了したときに等しいので、図１２の処理も終了する。
【０１００】
一方、ステップＳ２６で、光学シャッタ１２のすべての領域RA1乃至RANが４回注目領域とされていないと判定された場合、処理はステップＳ２１に戻り、上述したステップＳ２１乃至２６の処理が繰り返される。液晶パネル２５の映像書き込み位置に対応する領域RAn+1およびRBn+1が注目領域として決定され、シャッタ開閉および偏光方向が制御される。
【０１０１】
以上のように、３D映像投影システム１０では、光学シャッタ１２の領域RA1乃至RANのシャッタ開閉と、偏光素子１３の領域RB1乃至RBNの偏光方向を、液晶パネル２５の書き込みに同期して制御することにより、スクリーン４上に表示される映像の輝度を大幅に向上させることができる。
【０１０２】
また、図５の液晶プロジェクタ１１によれば、映像L（正転）、映像R（正転）、映像L（反転）、映像R（反転）の順で液晶パネル２５を駆動することにより、液晶デバイスに必要なDC成分の積分値がゼロとなる条件を満足しつつ、フリッカを大幅に低減させた３D映像の表示を行うことができる。
【０１０３】
なお、上述した例では、映像L（正転）、映像R（正転）、映像L（反転）、映像R（反転）の順番の繰り返しで液晶パネル２５を駆動する例を示したが、正転、反転の順番は逆でもよい。即ち、映像L（反転）、映像R（反転）、映像L（正転）、映像R（正転）の順番の繰り返しで液晶パネル２５を駆動してもよい。
【０１０４】
また、映像Lと映像Rの順番が逆でもよい。即ち、映像R（正転）、映像L（正転）、映像R（反転）、映像L（反転）の順番の繰り返しで液晶パネル２５を駆動してもよい。さらに、映像R（反転）、映像L（反転）、映像R（正転）、映像L（正転）の順番の繰り返しでもよい。
【０１０５】
即ち、左目用かまたは右目用の映像信号のうちの一方を第１の映像信号、他方を第２の映像信号とし、液晶パネル２５に印加される電圧が正転または反転の状態のうちのいずれか一方を第１の状態、他方を第２の状態として、液晶パネル２５を、第１の映像信号に応じた第１の状態、第２の映像信号に応じた第１の状態、第１の映像信号に応じた第２の状態、第２の映像信号に応じた第２の状態の順で駆動すればよい。
【０１０６】
上述した実施の形態では、液晶パネル２５が２K×１K（水平方向×垂直方向）の解像度を有するHDパネルである場合について説明したが、次に、液晶パネル２５が、図１３に示されるように、４K×２K（水平方向×垂直方向）の解像度を有するパネル（以下、４Kパネルと称する）である場合について説明する。
【０１０７】
液晶プロジェクタ１１の液晶パネル２５が４Kパネルである場合には、制御部２７は、パネル全体を２K×１Kからなる４領域に分割し、その分割された領域において、液晶パネル２５の画面中心から外（４隅の角）方向に線順次走査をするように、駆動制御信号をパネル駆動部２４に供給する。
【０１０８】
この線順次走査を光学シャッタ１２の領域RA1乃至RANに対応させて考えると、液晶パネル２５は、図１４に示すように、画面の垂直方向真ん中の領域RAxおよびRAx+1から、RAx-1およびRAx+2，RAx-2およびRAx+3，・・，RA2およびRAN-1，RA1およびRANの順に、映像を更新する。ここで、領域RAxと領域RAx+1の間が液晶パネル２５を垂直方向に２分する中心線である。
【０１０９】
そこで、制御部２７は、領域RA1乃至RANを垂直方向中央部から上下端部にスクロールするように光学シャッタ１２および偏光素子１３を制御する。即ち、制御部２７は、液晶パネル２５の書き込み位置に同期させて、RAxおよびRAx+1，RAx-1およびRAx+2，RAx-2およびRAx+3，・・，RA2およびRAN-1，RA1およびRANの順に、注目領域を設定する。従って、光学シャッタ１２の２つの領域が常に注目領域とされる。ただし、Nが奇数である場合には、最初の注目領域だけ１つとなる。
【０１１０】
図１４では、影が付されている領域RA2およびRAN-1が注目領域とされている状態を示している。また、斜線が付されている領域RA1およびRANは、次に注目領域とされる領域であり、シャッタが開けられているとともに以前の右目用の偏光方向の制御が保持されている状態である。
【０１１１】
図３に示した従来の駆動制御に対応する図であって、液晶パネル２５が４Kパネルである場合における、液晶パネル２５のパネル映像および駆動極性と、光学シャッタ１２の開閉および偏光素子１３の偏光方向との関係を図１５に示す。
【０１１２】
T1時間においては、映像L1が正転の印加電圧により液晶パネル２５に書き込まれるが、液晶パネル２５の画面中央部に対応する光学シャッタ１２の領域RAxとRAx+1および偏光素子１３の領域RBxとRBx+1では、その領域RAx，RAx+1，RBx、およびRBx+1に対応する液晶パネル２５の領域への書き込みが終了したT1時間の初期段階から、シャッタが開けられ、左目用に偏光方向が制御される。
【０１１３】
次に、光学シャッタ１２の領域RAxとRAx+1のシャッタが閉じられるのは、領域RAxとRAx+1が次に注目領域とされる約１フィールド時間後のT2時間の最初である。そして、T2時間において、光学シャッタ１２の領域RAxとRAx+1のシャッタが再度開けられたとき、偏光素子１３の領域RBxとRBx+1では、右目用に偏光方向が制御される。領域RAx，RAx+1，RBx、およびRBx+1のシャッタ開および右目用の偏光制御は、約１フィールド時間保持される。
【０１１４】
一方、液晶パネル２５の画面上下端部に対応する光学シャッタ１２の領域RA1とRANおよび偏光素子１３の領域RB1とRBNでは、その領域RA1，RAN，RB1、およびRBNに対応する液晶パネル２５の領域への書き込みが終了したT1時間の終了間際に、シャッタが開けられ、左目用に偏光方向が制御される。
【０１１５】
次に、光学シャッタ１２の領域RA1とRANのシャッタが閉じられるのは、領域RA1とRANが次に注目領域とされる１フィールド時間後のT2時間の終了間際である。そして、T2時間において、光学シャッタ１２の領域RA1とRANのシャッタが再度開けられたとき、偏光素子１３の領域RB1とRBNでは、右目用に偏光方向が制御される。領域RA1，RAN，RB1、およびRBNのシャッタ開および右目用の偏光制御は、約１フィールド時間保持される。
【０１１６】
T3時間、T4時間内のシャッタおよび偏光方向の制御も同様である。
【０１１７】
従って、液晶パネル２５が４Kパネルである場合においても、液晶パネル２５の書き込み位置に同期させるように、光学シャッタ１２の領域RA1乃至RANのシャッタ開閉と、偏光素子１３の領域RB1乃至RBNの偏光方向を制御することにより、シャッタを閉じる時間を、光学シャッタ１２および偏光素子１３の各領域が注目領域とされている間のわずかな時間とすることができるので、従来と比較して映像の輝度を大幅に向上させることができる。
【０１１８】
また、液晶パネル２５が４Kパネルである場合においても、映像L（正転）、映像R（正転）、映像L（反転）、映像R（反転）の順で液晶パネル２５を駆動することは変わらないので、液晶デバイスに必要なDC成分の積分値がゼロとなる条件を満足しつつ、フリッカを大幅に低減させた３D映像の表示を行うことができる。
【０１１９】
以上、上述した例では、３D映像を表示（投影）するか、または、２D映像を表示（投影）するかを操作部２２からの操作信号に基づいて切り替えるようにしたが、例えば、映像信号に、その映像が２D映像であるかまたは３D映像であるかを表す情報が含まれている場合には、その情報に基づいて制御を切り替えるようにすることもできる。
【０１２０】
また、上述した例では、映像信号入力部２１に入力された映像信号に基づいて３D映像を投影する例について説明したが、液晶プロジェクタ１１は、リムーバブルメディア２９などから読み出した３D映像を投影することも勿論可能である。さらに、光学シャッタ１２または偏光素子１３は、液晶プロジェクタ１１に内蔵されていてもよい。
【０１２１】
本明細書において、フローチャートに記述されたステップは、記載された順序に沿って時系列的に行われる処理はもちろん、必ずしも時系列的に処理されなくとも、並列的あるいは個別に実行される処理をも含むものである。
【０１２２】
なお、本明細書において、システムとは、複数の装置により構成される装置全体を表すものである。
【０１２３】
本発明の実施の形態は、上述した実施の形態に限定されるものではなく、本発明の要旨を逸脱しない範囲において種々の変更が可能である。
【図面の簡単な説明】
【０１２４】
【図１】従来の３D映像投影システムの一例を示す図である。
【図２】従来の液晶パネル駆動について説明する図である。
【図３】従来の液晶パネル駆動について説明する図である。
【図４】本発明を適用した３D映像投影システムの一実施の形態の構成例を示す図である。
【図５】図４の３D映像投影システムの構成例を示すブロック図である。
【図６】HDパネルについて説明する図である。
【図７】HDパネルのときの液晶パネル駆動について説明する図である。
【図８】光学シャッタと偏光素子の制御について説明する図である。
【図９】パネル映像および駆動極性と、光学シャッタの開閉および偏光素子の偏光方向との関係を示す図である。
【図１０】フレームメモリの詳細な構成例を示す図である。
【図１１】投影処理のフローチャートである。
【図１２】光学シャッタおよび偏光素子制御処理のフローチャートである。
【図１３】４Kパネルについて説明する図である。
【図１４】４Kパネルのときの光学シャッタと偏光素子の制御について説明する図である。
【図１５】４Kパネルのときのパネル映像および駆動極性と、光学シャッタの開閉および偏光素子の偏光方向との関係を示す図である。
【符号の説明】
【０１２５】
１０  ３D映像投影システム，  １１  液晶プロジェクタ  １２  光学シャッタ，  １３  偏光素子，  ２３  フレームメモリ，  ２４  パネル駆動部，  ２５  液晶パネル，  ２７  制御部
【図１】
0004760799.tif 000002
【図２】
0004760799.tif 000003
【図３】
0004760799.tif 000004
【図４】
0004760799.tif 000005
【図５】
0004760799.tif 000006
【図６】
0004760799.tif 000007
【図７】
0004760799.tif 000008
【図８】
0004760799.tif 000009
【図９】
0004760799.tif 000010
【図１０】
0004760799.tif 000011
【図１１】
0004760799.tif 000012
【図１２】
0004760799.tif 000013
【図１３】
0004760799.tif 000014
【図１４】
0004760799.tif 000015
【図１５】
0004760799.tif 000016